(57)【要約】【課題】耐衝撃性の向上を図ることができる携帯端末用ケースを提供する。【解決手段】携帯端末に取り付け及び取り外し可能な携帯端末用ケース１であって、携帯端末１の背面の略全部を覆う略矩形状の底壁部３と、底壁部３の周縁から立設されて携帯端末１の周側面の略全部を覆う側壁部４と、を備え、側壁部４の４つの隅部は、硬質合成樹脂から形成される隅部コア層４１Ｂ，４１Ｃ，４２Ａ，４２Ｂと、軟質合成樹脂から形成され、隅部コア層４１Ｂ，４１Ｃ，４２Ａ，４２Ｂの外面及び内面を覆う隅部被覆層４１Ｅ，４２Ｃと、を有するサンドイッチ構造を備え、底壁部３は、硬質合成樹脂から形成され、４つの隅部コア層４１Ｂ，４１Ｃ，４２Ａ，４２Ｂに繋がる底壁部コア層３１Ａと、軟質合成樹脂から形成され、底壁部コア層３１Ａの外面及び内面のうちの少なくとも一方の面を覆う底壁部被覆層３１Ｃと、を備えている。【選択図】図８
2018137618.tif 000002
【特許請求の範囲】
【請求項１】
携帯端末の背面の略全部を覆う略矩形状の底壁部と、該底壁部の周縁から立設されて前記携帯端末の周側面の略全部を覆う側壁部と、を備え、前記携帯端末に取り付け及び取り外し可能な携帯端末用ケースであって、
前記側壁部の４つの隅部は、硬質合成樹脂から形成される隅部コア層と、軟質合成樹脂から形成され、前記隅部コア層の外面及び内面を覆う隅部被覆層と、を有するサンドイッチ構造を備え、
前記底壁部は、硬質合成樹脂から形成され、前記４つの隅部コア層に繋がる底壁部コア層と、軟質合成樹脂から形成され、前記底壁部コア層の外面及び内面のうちの少なくとも一方の面を覆う底壁部被覆層と、を備えていることを特徴とする携帯端末用ケース。
【請求項２】
前記各隅部被覆層の外面及び内面のうちの少なくとも一方の面に凹部又は複数の凸部を備えていることを特徴とする請求項１に記載の携帯端末用ケース。
【請求項３】
前記隅部コア層及び前記底壁部コア層が着色された層から構成され、前記隅部被覆層及び前記底壁部被覆層が透明又は半透明な層から構成されていることを特徴とする請求項１又は２に記載の携帯端末用ケース。
【発明の詳細な説明】
【技術分野】
【０００１】
本発明は、携帯端末を保護するために携帯端末に取り付けて使用する携帯端末用ケースに関する。
【背景技術】
【０００２】
上記携帯端末用ケースは、携帯端末の背面の略全部を覆う略矩形状の底壁部と、底壁部の周縁から立設されて携帯端末の周側面の略全部を覆う側壁部と、を備えている。そして、前記底壁部及び側壁部が、強度の高い硬質合成樹脂であるポリカーボネート樹脂により一体形成されている（例えば特許文献１参照）。
【０００３】
また、前記底壁部及び側壁部が、シリコンゴムまたはエラストマーの組み合わせから選択される可撓性材料により一体形成されているものも提案されている（例えば特許文献２参照）。
【先行技術文献】
【特許文献】
【０００４】
【特許文献１】特開２０１２−１９１６１０号公報
【特許文献２】特表２０１５−５２９５２４号公報
【発明の概要】
【発明が解決しようとする課題】
【０００５】
上記特許文献１の携帯端末用ケースでは、ケース自体は高い強度を有しているものの、耐衝撃性には限界がある。そのため、携帯端末用ケースを誤って床に落として携帯端末用ケースが床に当接すると、携帯端末用ケースが受ける衝撃力の大きさによっては、携帯端末用ケースの割れや欠け等の損傷を招くだけでなく、携帯端末用ケースを介して伝わる衝撃力により携帯端末の損傷を招くおそれがある。
【０００６】
また、上記特許文献２の携帯端末用ケースでは、耐衝撃性は高いものの、前記のように、携帯端末用ケースが床に当接すると、携帯端末用ケースが受ける衝撃力が他の部分に分散されずに、当接した箇所に集中して吸収される。そのため、携帯端末用ケースの破損等の損傷を招くおそれがある。
【０００７】
本発明が前述の状況に鑑み、解決しようとするところは、耐衝撃性の向上を図ることができる携帯端末用ケースを提供することにある。
【課題を解決するための手段】
【０００８】
本発明の携帯端末用ケースは、前述の課題解決のために、携帯端末の背面の略全部を覆う略矩形状の底壁部と、該底壁部の周縁から立設されて前記携帯端末の周側面の略全部を覆う側壁部と、を備え、前記携帯端末に取り付け及び取り外し可能な携帯端末用ケースであって、前記側壁部の４つの隅部は、硬質合成樹脂から形成される隅部コア層と、軟質合成樹脂から形成され、前記隅部コア層の外面及び内面を覆う隅部被覆層と、を有するサンドイッチ構造を備え、前記底壁部は、硬質合成樹脂から形成され、前記４つの隅部コア層に繋がる底壁部コア層と、軟質合成樹脂から形成され、前記底壁部コア層の外面及び内面のうちの少なくとも一方の面を覆う底壁部被覆層と、を備えていることを特徴としている。
【０００９】
かかる構成によれば、側壁部の４つの隅部が、硬質合成樹脂から形成される隅部コア層と、隅部コア層の外面及び内面を覆う隅部被覆層と、を有するサンドイッチ構造を備えているので、携帯端末用ケースを誤って床に落として側壁部の隅部が床に当接すると、軟質合成樹脂から形成される隅部被覆層が衝撃力の一部を吸収するとともに、隅部被覆層で吸収できなかった衝撃力を隅部コア層及び隅部コア層と繋がっている底壁部コア層に分散して受け止めて吸収することによって、携帯端末用ケースの耐衝撃性の向上を図ることができる。よって、携帯端末用ケースの損傷を回避することができるだけでなく、携帯端末用ケースを介して伝わる衝撃力により携帯端末の損傷を回避することができる。
【００１０】
また、本発明の携帯端末用ケースは、前記各隅部被覆層の外面及び内面のうちの少なくとも一方の面に凹部又は複数の凸部を備えていることが好ましい。
【００１１】
上記構成によれば、各隅部被覆層の外面及び内面のうちの少なくとも一方の面に凹部又は複数の凸部を備えていれば、隅部における隅部被覆層が衝撃力を受けた時に凹部又は隣り合う凸部同士間の薄肉部で変形し易くなり、その分衝撃力を吸収し易い。よって、携帯端末用ケースの耐衝撃性の向上をより一層図ることができる。
【００１２】
また、本発明の携帯端末用ケースは、前記隅部コア層及び前記底壁部コア層が着色された層から構成され、前記隅部被覆層及び前記底壁部被覆層が透明又は半透明な層から構成されていることが好ましい。
【００１３】
上記構成によれば、携帯端末用ケースの内部に位置する着色された隅部コア層及び底壁部コア層を、携帯端末用ケースの外部に位置する透明又は半透明な隅部被覆層及び底壁部被覆層を通して確認することによって、耐衝撃性の向上を図るための構成を目視にて把握することができるので、ユーザへの訴求力を高めることができる携帯端末用ケースとすることができる。
【発明の効果】
【００１４】
本発明によれば、隅部コア層と、隅部コア層の外面及び内面を覆う隅部被覆層と、を有するサンドイッチ構造を備えるとともに、隅部コア層と繋がっている底壁部コア層を備えることによって、耐衝撃性の向上を図ることができる携帯端末用ケースを提供することができる。
【図面の簡単な説明】
【００１５】
【図１】携帯端末用ケースの斜視図である。
【図２】同ケースの正面図である。
【図３】（ａ）は同ケースの左側面図、（ｂ）は同ケースの右側面図である。
【図４】図２におけるＩＶ−ＩＶ線断面図である。
【図５】（ａ）は同ケースの平面図、（ｂ）は同ケースの底面図である。
【図６】図２におけるＶＩ−ＶＩ線断面図である。
【図７】図２におけるＶＩＩ−ＶＩＩ線断面図である。
【図８】内部に埋まっているコア層を把握しやすくした同ケースの斜視図である。
【図９】内部に埋まっているコア層を把握しやすくした同ケースの正面図である。
【図１０】同ケースの内部に埋まっているコア層の斜視図である。
【図１１】同ケースの内部に埋まっているコア層の正面図である。
【図１２】同ケースに収容される携帯端末の正面図である。
【発明を実施するための形態】
【００１６】
以下、本発明の携帯端末用ケースについて説明する。この携帯端末用ケース１は、図１２に示す、四隅が角の取れた円弧形状に形成された略長方形状の携帯端末２に取り付けられて保護ケースとして使用され、携帯端末２のバッテリの交換時やメンテナンス時等において取り外し可能に構成されている。ここでは、携帯端末２として、ｉＰｈｏｎｅ（登録商標）を用いている。図１２では、携帯端末２の前面に、画面２Ａと、ホーム画面に戻るためのホームボタン２Ｂと、を備えている。
【００１７】
携帯端末用ケース１は、図１及び図２に示すように、携帯端末２の背面の略全部を覆う略矩形状で板状の底壁部３と、底壁部３の周縁から立設されて携帯端末２の周側面の略全部を覆う側壁部４と、を備えている。従って、携帯端末用ケース１の前方が開放され、側壁部４の遊端部にて開口４Ｋが形成されている。この開口４Ｋを通して図１２の携帯端末２を携帯端末用ケース１の内部に収容して取り付ける（保持する）ことができるようになっている。尚、図１及び図２において、上下方向及び左右方向を図に記載しているように定めて、以下において説明する。
【００１８】
底壁部３は、図４、図６及び図７に示すように、硬質合成樹脂から形成され、短手方向両端のそれぞれが長手方向中央部ほど内側に位置するように円弧状に抉られた形状の底壁部コア層３１Ａと、底壁部コア層３１Ａの外面及び内面を覆う底壁部被覆層３１Ｂ，３１Ｃと、を備えたサンドイッチ構造に構成された底壁部本体３１と、底壁部コア層３１Ａの短手方向両端のそれぞれから外周縁までの間の前記円弧状に抉られた部分に底壁部被覆層３１Ｂ，３１Ｃと一体化されるように軟質合成樹脂から形成され、かつ、底壁部本体３１と同一厚みからなる底壁部両端部３２，３３（図６参照）と、を備えている。底壁部本体３１と底壁部両端部３２，３３とで四隅が角の取れた円弧部に形成された略長方形状の底壁部３を構成している。底壁部両端部３２，３３を、特にシリコン樹脂から形成することによって、片手で持ち易く滑りにくくなり、使用面において有利である。また、図１、図２及び図７に示すように、底壁部３の内面に、凹凸部５が形成されている。この凹凸部５を構成する凸部が、８角形の凸部５Ａが規則正しく並んだハニカム構造から構成され、各８角形の凸部５Ａの内側が一段低くなった凹部５Ｂに形成されている。これにより、底壁部３の強度を維持しながらも軽量化を図ることができる。
【００１９】
側壁部４は、図１〜図５に示すように、底壁部３の長手方向一端（図では上端）から上方へ延びる上側壁部４１と、底壁部３の長手方向他端（図では下端）から上方へ延びる下側壁部４２と、底壁部３の短手方向一端（図では左端）から上方へ延びる左側壁部４３と、底壁部３の短手方向他端（図では右端）から上方へ延びる右側壁部４４と、を備えている。これら上側壁部４１、下側壁部４２、左側壁部４３、右側壁部４４は、上下方向中央部ほど外側に突出する円弧形状に形成されている。
【００２０】
また、図８〜図１１（図１０及び図１１ではコア層のみを示している）に示すように、上側壁部４１は、硬質合成樹脂から形成された上側壁部コア層４１Ａと、上側壁部コア層４１Ａの左右方向両端の隅部に一体形成される２つの隅部コア層４１Ｂ，４１Ｃと、軟質合成樹脂から形成され、上側壁部コア層４１Ａ及び隅部コア層４１Ｂ，４１Ｃの外面及び内面を覆う上側壁部被覆層４１Ｄ（図４参照）及び隅部被覆層４１Ｅ（図７参照），４２Ｃと、を有するサンドイッチ構造を備えている。上側壁部コア層４１Ａ及び隅部コア層４１Ｂ，４１Ｃ並びに底壁部コア層３１Ａが、繋がるように一体形成されている。
【００２１】
また、側壁部４を構成する下側壁部４２の２つの隅部にも、硬質合成樹脂から形成される左右一対の隅部コア層４２Ａ，４２Ｂと、軟質合成樹脂から形成され、２つの隅部コア層４２Ａ，４２Ｂの外面及び内面を覆う隅部被覆層４２Ｃ（図８、図９参照）と、を有するサンドイッチ構造を備えている。２つの隅部コア層４２Ａ，４２Ｂと底壁部コア層３１Ａとが繋がるように一体形成されている。
【００２２】
上記のように、側壁部４の４つの隅部が、硬質合成樹脂から形成される隅部コア層４１Ｂ，４１Ｃ，４２Ａ，４２Ｂと、隅部コア層４１Ｂ，４１Ｃ，４２Ａ，４２Ｂの外面及び内面を覆う隅部被覆層４１Ｅ，４２Ｃと、を有するサンドイッチ構造を備えているので、携帯端末用ケース１を床に落として側壁部４の特定の隅部が床に当接すると、軟質合成樹脂から形成される隅部被覆層４１Ｅ又は４２Ｃが衝撃力の一部を吸収するとともに、隅部被覆層４１Ｅ又は４２Ｃで吸収できなかった衝撃力を隅部コア層４１Ｂ，４１Ｃ，４２Ａ，４２Ｂ及び隅部コア層４１Ｂ，４１Ｃ，４２Ａ，４２Ｂと繋がっている底壁部コア層３１Ａ並びに上側壁部コア層４１Ａに分散して受け止めて吸収することによって、携帯端末用ケース１の耐衝撃性の向上を図ることができる。よって、携帯端末用ケース１の損傷を回避することができるだけでなく、携帯端末用ケース１を介して伝わる衝撃力により携帯端末２の損傷を回避することができる。
【００２３】
また、隅部コア層４１Ｂ，４１Ｃ，４２Ａ，４２Ｂ及び上側壁部コア層４１Ａの上端が、図４、図６及び図７に示すように、側壁部４の開口４Ｋ端よりも手前側（下端側）になっており、隅部コア層４１Ｂ，４１Ｃ，４２Ａ，４２Ｂ及び上側壁部コア層４１Ａの上端部が、軟質合成樹脂のみで構成されている。また、側壁部４の開口４Ｋ端部は、開口４Ｋ端に位置するほど厚みが薄くなる先細りになっている。従って、携帯端末２を携帯端末用ケース１の内部に収容する際に、側壁部４の開口４Ｋ端部が携帯端末２の外周部との当接により容易に変形することができるので、携帯端末２を携帯端末用ケース１の内部に収容し易い。しかも、携帯端末２の収容後は、弾性復元力によって側壁部４の開口４Ｋ端部が元通りに戻ることで、携帯端末２を確実に保持することができる。
【００２４】
上側壁部４１及び４つの隅部以外の部分が、軟質合成樹脂から形成されて、下側壁部４２及び左右の側壁部４３，４４を構成している。また、左側の側壁部４３の上側壁部４１寄り位置に、携帯端末２に備えるマナーモード切替スイッチＳ１（図１２参照）を露出させるための第１開口４３ａが形成され、第１開口４３ａよりも下側壁部４２側の位置に、携帯端末２に備える音量調整用の２つのスイッチＳ２，Ｓ３（図１２参照）を覆う２つの凸部を有する第１カバー４３ｂが形成されている。また、右側の側壁部４４の上側壁部４１寄り位置に、携帯端末２に備える電源スイッチ（図示せず）を覆う第２カバー４４ａが外側に少し突出する状態で形成されている。
【００２５】
また、下側壁部４２の左右方向中央に、携帯端末２に備える通信コネクタ（図示せず）を露出させるための第２開口４２ａが形成され、下側壁部４２の短手方向両端部に、携帯端末２に備えるスピーカー（図示せず）を露出させるための第３開口４２ｂ，４２ｃが形成されている。また、底壁部３の上端側で右側端部に、携帯端末２に備えるカメラのレンズ（図示せず）を露出するための横長の小判状の第４開口３Ｋが形成されている。また、底壁部３の下端側で右側端部に、落下防止用のストラップを取り付けるための一対の孔３Ｈ，３Ｈが形成されている。尚、携帯端末用ケースに形成する前記開口やカバーの大きさ、形状、形成される位置は、携帯端末２に応じて変更されるものである。
【００２６】
また、携帯端末用ケース１は、４つの隅部のうちの上側の２つの隅部の内面及び下側の２つの隅部の内面に、凹部４１ｅ，４２ｅを備えている。これら凹部４１ｅ，４２ｅは、底壁部３から上方に向かう縦長形状に形成され、周方向に所定間隔を置いて隅部の領域に多数形成されている。携帯端末用ケース１の上側は、上側壁部コア層４１Ａを備えているため、下側の各隅部の凹部４２ｅを５個形成しているのに対して、上側の各隅部の凹部４１ｅを下側よりも多い個数の６個形成して、上側の各隅部が変形し易いようにしている。このように、各隅部の内面に凹部４１ｅ，４２ｅを備えることによって、隅部における隅部被覆層４１Ｅ，４２Ｃが衝撃力を受けた時に、例えば変形した隅部被覆層４１Ｅ，４２Ｃが凹部４１ｅ，４２ｅに移動するように変形し易くなり、その分衝撃力を吸収し易い。よって、携帯端末用ケース１の耐衝撃性の向上をより一層図ることができる。
【００２７】
また、携帯端末用ケース１は、図８及び図９に示すように、４つの隅部コア層４１Ｂ，４１Ｃ，４２Ａ，４２Ｂ及び底壁部コア層３１Ａ並びに上側壁部コア層４１Ａが着色されたコア層（青色、赤色、黄色、橙色、桃色等、見て直ぐに分かり易い色に着色された層が好ましい）から構成され（図８、図９ではドットを付けた部分が着色されたコア層になっている）、底壁部被覆層３１Ｃ（図８、図９では内面側）、底壁部両端部３２，３３（図８では左側のみ示している）、隅部被覆層４１Ｅ，４２Ｃ、上側壁部被覆層４１Ｄ、コア層の無い部分（左右の側壁部４３，４４及び下側壁部４２）が透明又は半透明な層から構成されている。このように、携帯端末用ケース１の内側に位置する着色された隅部コア層４１Ｂ，４１Ｃ，４２Ａ，４２Ｂ及び底壁部コア層３１Ａ並びに上側壁部コア層４１Ａを、透明（又は半透明でもよい）に構成された底壁部被覆層３１Ｃ、隅部被覆層４１Ｅ，４２Ｃ、コア層の無い部分（左右の側壁部４３，４４及び下側壁部４２）を通して確認することができ、ユーザへの訴求力を高めることができる携帯端末用ケース１とすることができる。
【００２８】
要するに、携帯端末用ケース１は、隅部コア層４１Ｂ，４１Ｃ，４２Ａ，４２Ｂ及び底壁部コア層３１Ａ並びに上側壁部コア層４１Ａを備えるコア層をポリカーボネート樹脂で一体成形し、その一体成形されたコア層をセットした図示していない金型内に、溶融したシリコン樹脂を充填することによって、コア層をシリコン樹脂でインサート成形することで構成される。シリコン樹脂で成形される部分は、底壁部被覆層３１Ｂ，３１Ｃ、底壁部両端部３２，３３、隅部被覆層４１Ｅ，４２Ｃ、上側壁部被覆層４１Ｄ、コア層の無い部分（左右の側壁部４３，４４及び下側壁部４２）である。
【００２９】
尚、本発明は、前記実施形態に限定されるものではなく、本発明の要旨を逸脱しない範囲で種々の変更が可能である。
【００３０】
例えば、実施形態で示した携帯端末は、ｉＰｈｏｎｅ（登録商標）を用いる他、Ａｎｄｏｒｏｉｄ（登録商標）、ｉＰａｄ（登録商標）、ｉＰｏｄ（登録商標）を用いてもよい。
【００３１】
また、前記実施形態では、硬質合成樹脂として、弾性を有するポリカーボネート樹脂を用いたが、同じく弾性を有するＡＢＳ樹脂、アクリル樹脂等の合成樹脂であってもよいし、他の合成樹脂であってもよい。
【００３２】
また、前記実施形態では、軟質合成樹脂として、シリコン樹脂を用いたが、ポリウレタン樹脂、ポリエチレン樹脂、ナイロン樹脂、合成ゴム、熱可塑性エラストマー等を用いてもよい。
【００３３】
また、前記実施形態では、コア層を、４つの隅部コア層４１Ｂ，４１Ｃ，４２Ａ，４２Ｂ、上側壁部コア層４１Ａ、底壁部コア層３１Ａから構成したが、４つの隅部コア層４１Ｂ，４１Ｃ，４２Ａ，４２Ｂ、上側壁部コア層４１Ａ、底壁部コア層３１Ａに加えて、左右の側壁部４３，４４にもコア層を設けて構成してもよいし、また、上側壁部コア層４１Ａを無くし、４つの隅部コア層４１Ｂ，４１Ｃ，４２Ａ，４２Ｂと底壁部コア層３１Ａとから構成してもよい。また、底壁部コア層３１Ａを左右両端部が内側に抉られた形状に構成したが、左右両端部が内側に抉られていない長方形状の他、略Ｉ型又は略Ｏ型等、どのような形状であってもよい。
【００３４】
また、前記実施形態では、携帯端末用ケース１を、前方が開放された構成であったが、前方を閉じる蓋カバーを備えた携帯端末用ケース１であってもよい。
【００３５】
また、前記実施形態では、コア層を着色された層から構成し、かつ、被覆層を透明又は半透明な層から構成することによって、コア層を確実に把握することができる利点があるが、コア層を着色しないでコア層と区別しにくい構成で実施することも可能である。
【００３６】
また、前記実施形態では、底壁部コア層３１Ａの外面及び内面の両面を覆う底壁部被覆層３１Ｂ，３１Ｃを示したが、底壁部コア層３１Ａの外面及び内面のうちの一方のみを覆う底壁部被覆層３１Ｂ又は３１Ｃであってもよい。
【００３７】
また、前記実施形態では、各隅部被覆層４１Ｅ，４２Ｃの内面に、凹部４１ｅ，４２ｅを備えていたが、各隅部被覆層４１Ｅ，４２Ｃの外面又は外面と内面の両面に、凹部４１ｅ，４２ｅを備えていてもよい。また、凹部４１ｅ，４２ｅの形状は、どのような形状であってもよい。また、凹部に変えて複数の凸部を備えたものでもよい。この場合、隣り合う凸部同士間の薄肉部が変形して各隅部被覆層４１Ｅ，４２Ｃが変形し易くなる。要するに、他の部分よりも局部的に厚みが薄くなる薄肉部を備える構成であれば、どのような形状であってもよい。
【００３８】
また、前記実施形態では、底壁部３の内面に、凹凸部５を備えていたが、底壁部３の外面又は内面と外面の両面に、凹凸部５を備えて実施してもよい。
【符号の説明】
【００３９】
１…携帯端末用ケース、２…携帯端末、２Ａ…画面、２Ｂ…ホームボタン、３…底壁部、３Ｈ…孔、３Ｋ…第４開口、４…側壁部、４Ｋ…開口、５…凹凸部、５Ａ…凸部、５Ｂ…凹部、３１…底壁部本体、３１Ａ…底壁部コア層、３１Ｂ，３１Ｃ…底壁部被覆層、３２，３３…底壁部両端部、４１…上側壁部、４１Ａ…上側壁部コア層、４１Ｂ，４１Ｃ…隅部コア層、４１Ｄ…上側壁部被覆層、４１Ｅ…隅部被覆層、４１ｅ，４２ｅ…凹部、４２…下側壁部、４２Ａ，４２Ｂ…隅部コア層、４２ａ…第２開口、４２ｂ，４２ｃ…第３開口、４３…左側壁部、４３ａ…第１開口、４３ｂ…第１カバー、４４…右側壁部、４４ａ…第２カバー、Ｓ１…マナーモード切替スイッチ、Ｓ２，Ｓ３…スイッチ
【図１】
2018137618.tif 000003
【図２】
2018137618.tif 000004
【図３】
2018137618.tif 000005
【図４】
2018137618.tif 000006
【図５】
2018137618.tif 000007
【図６】
2018137618.tif 000008
【図７】
2018137618.tif 000009
【図８】
2018137618.tif 000010
【図９】
2018137618.tif 000011
【図１０】
2018137618.tif 000012
【図１１】
2018137618.tif 000013
【図１２】
2018137618.tif 000014